(57)【要約】【課題】電子機器などの入力操作部を構成する際に用いられる回転操作型部品に関し、製品厚みを大きくすることなく回転操作時における操作量が大きくとれるものを提供することを目的とする。【解決手段】第一および第二回転軸２１および２２に張架されたリング状のベルト３１を指の腹で操作して回転させ、上記ベルト３１の回転時に共回りする上記第一回転軸２１の回転状態を、上記第一回転軸２１に固定されたリング磁石５１と磁気検出素子７５とで検出するものとした。さらに、ベルト３１の下方に押圧型スイッチ７１を配したものとしてもよい。【選択図】図１
2007220584.tif 000002
【特許請求の範囲】
【請求項１】
一対で配置された第一および第二回転軸と、その第一および第二回転軸に張架されたリング状で、上記第一および第二回転軸間のリング上面を、指の腹で張架された方向に沿って操作されて回転するベルトと、上記ベルトの回転時に共回りする上記第一回転軸に設けられ、その回転時に回転方向や回転量が検出素子で検出される回転素子とを備えた回転操作型部品。
【請求項２】
張架されたベルトの下方位置に、上記ベルト上からの押し下げ操作に伴って作動される押圧型スイッチをさらに有する請求項１記載の回転操作型部品。
【請求項３】
複数の押圧型スイッチが、個別に作動可能なように上記ベルトの張架された方向に沿って配された請求項２記載の回転操作型部品。
【請求項４】
ベルトと押圧型スイッチとの間に片持ちばねを介在させ、上記片持ちばねの可動側で上記押圧型スイッチの作動がなされる請求項２記載の回転操作型部品。
【請求項５】
押圧型スイッチは、配線基板上に設けられた固定接点に対応させてドーム状可動接点が配されて構成された請求項２記載の回転操作型部品。
【請求項６】
回転素子が磁石で、検出素子が磁気検出素子である請求項１記載の回転操作型部品。
【請求項７】
回転素子である磁石に近接させて第２の磁石が並べて配され、その第２の磁石において磁気検出素子側に応じた位置に、磁性を通す第１板材が配されている請求項６記載の回転操作型部品。
【請求項８】
回転素子である磁石の下方位置に磁気検出素子が配され、その間に磁性を通す第２板材が配されている請求項６記載の回転操作型部品。
【請求項９】
第一および第二回転軸を回転可能に保持する保持台をベルト内に備えると共に、その保持台をベルトの幅方向側への傾斜動作が可能に保持する枠体をさらに備え、押圧型スイッチが、上記保持台の傾斜動作時に下がっていく側の下方位置に配された請求項２記載の回転操作型部品。
【請求項１０】
ベルト内に保持台を備え、その保持台の上記ベルトと対向する面、または上記ベルト内面に、上記ベルトの張架された方向に沿う直線状凹凸部が設けられた請求項１記載の回転操作型部品。
【請求項１１】
内面側にシボ加工を施したベルトが張架されている請求項１記載の回転操作型部品。
【発明の詳細な説明】
【技術分野】
【０００１】
本発明は、各種電子機器や携帯機器などの入力操作部を構成する際に用いられる回転操作型部品に関するものである。
【背景技術】
【０００２】
近年、各種電子機器は操作性の向上が求められ、複合操作型の入力操作部を備えたものも多くなっている。
【０００３】
その入力操作部としての構成事例は様々あるが、以下に、その一例として、機器筐体から露出した円柱部材の周面上部に対し回転操作や押し下げ操作をして用いられるローラタイプの回転操作型部品について説明する。
【０００４】
図１１は機器の入力操作部を構成するための従来の回転操作型部品の外観斜視図、図１２は同分解斜視図、図１３は同正面図、図１４は同押し下げ操作状態の正面図である。
【０００５】
同図において、１は、回転軸２に操作部位としてなる円柱部材３および小径円柱状に形成された押圧部６が固着されているローラ部材である。
【０００６】
その回転軸２の一方側は、多角形状に形成された中間部がエンコーダ５の中心孔５Ａに挿通され、その先端部には回転軸２の回転が可能なように矩形部材７が係合されている。そして、上記エンコーダ５としては、中心孔５Ａに挿入された回転軸２の一方側が回転すると、その多角形部分の回転動作に伴って、図示しない機能部品が共回りすることにより所定のパルス信号が生成される回転型エンコーダが用いられている。
【０００７】
そして、小径円柱状に形成された押圧部６は、回転軸２の他方側の中間位置に固着されており、その他端側の先端部には同じく回転軸２の回転が可能なように矩形部材７が係合されている。
【０００８】
そして、１０は、上面視略コの字状に形成されたフレームで、その対向する側壁それぞれに上下方向への長孔１１が設けられていると共に、その長孔１１を中心として側壁外側面に、上下方向に伸びる移動用溝部１２を備えている。
【０００９】
そして、上記二つの長孔１１内に、ローラ部材１の回転軸２が挿通され、その両端に配された矩形部材７が、移動用溝部１２に上下移動可能に係合されている。また、各矩形部材７の下端面と移動用溝部１２の底部との間には、コイルばね１３が配されており、そのコイルばね１３のばね力で各矩形部材７は上方に押し上げられている。
【００１０】
また、フレーム１０は、上記ローラ部材１の押圧部６に応じた底部位置に、スイッチ保持部１４を一体で備え、そのスイッチ保持部１４に押圧操作型の単体スイッチ１５が保持されている。そして、その単体スイッチ１５の操作釦に対し、上述したローラ部材１の押圧部６は、所定間隔をあけて対峙している。
【００１１】
上記のようにして構成された従来の回転操作型部品は、機器筐体から円柱部材３周面の上部を露出させて機器に搭載され、その露出部分に対し回転操作や押し下げ操作が可能な入力操作部としてなるものである。なお、その搭載状態ではエンコーダ５や単体スイッチ１５は、図示しない制御部に電気的に接続され、それらからの信号を基に、上記制御部の処理によって機器における所定機能の作動がなされるものとされるがその詳細説明は省略する。
【００１２】
ここで、当該回転操作型部品の動作を説明する。
【００１３】
まず、機器筐体から露出しているローラ部材１の円柱部材３上部を回転操作すると、円柱部材３を固定している回転軸２が回転し、その回転によりエンコーダ５が作動され、所定のパルス信号が得られる。
【００１４】
なお、この回転操作時には、コイルばね１３による上方への付勢力が矩形部材７を介して回転軸２の両端部に加わっているため、ローラ部材１は下方に若干移動するものの、上記回転軸２に固定された押圧部６で単体スイッチ１５を押し下げて作動させるまでの移動はしない。
【００１５】
次に、上記円柱部材３の露出した上部に対して押し下げ操作をすると、図１４に示すように、矩形部材７が移動用溝部１２で案内されつつ、回転軸２の両端の矩形部材７を介してコイルばね１３が撓められていきローラ部材１全体が下方に移動する。
【００１６】
そのローラ部材１全体の下方移動によって、単体スイッチ１５の操作釦が押圧部６で押し下げられて単体スイッチ１５がＯＮ状態に切り換わる。
【００１７】
上記押し下げ力を除くと、単体スイッチ１５は自己復帰して元のＯＦＦ状態に戻ると共にその自己復帰力でローラ部材１を押し上げる。また、それに加えてコイルばね１３も元の状態に戻り、それらの復元力によってローラ部材１は元の上方位置に押し戻されるものであった。
【００１８】
なお、この出願の発明に関連する先行技術文献情報としては、例えば、特許文献１が知られている。
【特許文献１】実用新案登録第３０７３２９８号公報
【発明の開示】
【発明が解決しようとする課題】
【００１９】
しかしながら上記従来の回転操作型部品においては、円柱部材３への回転操作時における操作量が、円柱部材３の径や筐体からの露出量によって左右され、その径および露出する角度を大きくするほど一回の回転操作での操作量が大きくできて操作性は向上するが、その径などを大きくすれば機器の製品厚さとしても大きくせざるを得ないという課題があった。
【００２０】
本発明は、このような従来の課題を解決するものであり、製品厚みを大きくすることなく回転操作時における操作量が大きくとれる回転操作型部品を提供することを目的とする。
【課題を解決するための手段】
【００２１】
上記目的を達成するために本発明は、以下の構成を有するものである。
【００２２】
本発明の請求項１に記載の発明は、一対で配置された第一および第二回転軸と、その第一および第二回転軸に張架されたリング状で、上記第一および第二回転軸間のリング上面を、指の腹で張架された方向に沿って操作されて回転するベルトと、上記ベルトの回転時に共回りする上記第一回転軸に設けられ、その回転時に回転方向や回転量が検出素子で検出される回転素子とを備えた回転操作型部品であり、第一および第二回転軸間のベルトの張架方向に沿う範囲内での回転操作を行うことができる従来よりも薄型構成のものが実現できるという作用を有する。
【００２３】
請求項２に記載の発明は、請求項１記載の発明において、張架されたベルトの下方位置に、上記ベルト上からの押し下げ操作に伴って作動される押圧型スイッチをさらに有するものであり、回転操作に加えてベルト上からの押し下げ操作によってスイッチの切り換えができるものが得られるという作用を有する。
【００２４】
請求項３に記載の発明は、請求項２記載の発明において、複数の押圧型スイッチが、個別に作動可能なように上記ベルトの張架された方向に沿って配されたものであり、ベルトの張架距離を有効に活用して複数の押圧型スイッチを配した当該構成であれば、そのスイッチ数に応じたスイッチ切り換え機能を備えたものにできるという作用を有する。
【００２５】
請求項４に記載の発明は、請求項２記載の発明において、ベルトと押圧型スイッチとの間に片持ちばねを介在させ、上記片持ちばねの可動側で上記押圧型スイッチの作動がなされるものであり、片持ちばねで安定して押圧型スイッチが作動されるものにできるという作用を有する。
【００２６】
請求項５に記載の発明は、請求項２記載の発明において、押圧型スイッチは、配線基板上に設けられた固定接点に対応させてドーム状可動接点が配されて構成されたものであり、押圧型スイッチ自身が厚みの薄いものに構成できるため、スイッチ付きの回転操作型部品とした場合にも全体の高さ寸法の小さいものを構成することができるという作用を有する。
【００２７】
請求項６に記載の発明は、請求項１記載の発明において、回転素子が磁石で、検出素子が磁気検出素子であるものであり、ベルトの回転状態が非接触で検出される長寿命なものを実現できるという作用を有する。
【００２８】
請求項７に記載の発明は、請求項６に記載の発明において、回転素子である磁石に近接させて第２の磁石が並べて配され、その第２の磁石において磁気検出素子側に応じた位置に、磁性を通す第１板材が配されているものであり、回転素子と第２の磁石とが吸引反発することによって回転操作時にクリック感触が得られると共に、第１板材を上記配置位置で付加することにより磁気検出素子への第２の磁石からの磁束の影響が低減できるという作用を有する。
【００２９】
請求項８に記載の発明は、請求項６に記載の発明において、回転素子である磁石の下方位置に磁気検出素子が配され、その間に磁性を通す第２板材が配されているものであり、上記各部位の配置状態であれば、回転素子である磁石からの磁束が第２板材を介して集まって磁気検出素子に対し強く作用するものにできるという作用を有する。
【００３０】
請求項９に記載の発明は、請求項２記載の発明において、第一および第二回転軸を回転可能に保持する保持台をベルト内に備えると共に、その保持台をベルトの幅方向側への傾斜動作が可能に保持する枠体をさらに備え、押圧型スイッチが、上記保持台の傾斜動作時に下がっていく側の下方位置に配されたものであり、指でのベルトの回転操作時に保持台で支持されつつ操作ができるようになるため、回転操作時における操作性が向上すると共に、かつ枠体に対する保持台の傾斜動作で安定して押圧型スイッチが作動されるものにできるという作用を有する。
【００３１】
請求項１０に記載の発明は、請求項１記載の発明において、ベルト内に保持台を備え、その保持台の上記ベルトと対向する面、または上記ベルト内面に、上記ベルトの張架された方向に沿う直線状凹凸部が設けられたものであり、ベルト回転時の摩擦力が低減でき、バルトへの回転操作時に、ベルトが滑らかに回転するものにできるという作用を有する。
【００３２】
請求項１１に記載の発明は、請求項１記載の発明において、内面側にシボ加工を施したベルトが張架されているものであり、請求項１０記載の発明による作用と同様の作用を有する。
【発明の効果】
【００３３】
以上のように本発明によれば、指の腹でリング状のベルト上面を操作して回転させる形態のものとしたため、薄い製品厚みで回転操作時における操作量が大きくとれる回転操作型部品が得られるという効果を奏する。
【発明を実施するための最良の形態】
【００３４】
以下、本発明の実施の形態について、図１〜図１０を用いて説明する。
【００３５】
（実施の形態）
図１は本発明の一実施の形態による回転操作型部品の外観斜視図、図２は同図１のＰ−Ｐ線における断面図、図３は同分解斜視図、図４は同上面図、図５は同要部であるベルトの上部部分を切り欠いた状態の上面図、図６は同要部のばね体の装着状態を説明するために配線基板とケース、枠体を除いた状態とした下面図、図７と図８は同要部である保持台と枠体との組み合わせ状態を示す側面図、図９は同要部である回転素子と検出素子などの配置状態を示すためにケースを除いた状態とした部分側面図、図１０は同ベルト中央位置を押し下げた動作状態を示す断面図である。
【００３６】
同図において、２１および２２は、略円柱棒状で平行関係に配置された第一および第二回転軸であり、その第一および第二回転軸２１および２２に、ゴムなどからなるリング状のベルト３１が張架されている。そのベルト３１幅は、指の腹で操作可能な幅に設定されている。
【００３７】
そして、ベルト３１内には、樹脂製の三つのブロック３４〜３６からなる保持台３３が配されている（図３および図５参照）。この保持台３３を構成する個々のブロック３４〜３６は、第一回転軸２１および第二回転軸２２間の長さを略三等分した上面視矩形状で、かつ、側面視では、ベルト３１の幅方向側の両端部位置にそれぞれ下方に伸びる脚部３４Ａ〜３６Ａが設けられた下方開口の略コの字状に形成されている（図２などを参照）。そして、各ブロック３４〜３６がベルト３１の張架された方向に沿って並べて配されて上記保持台３３は構成され、ベルト３１は、そのブロック３４〜３６で形成される保持台３３のコの字の底辺部分を巻くようにして配されている。
【００３８】
上記第一回転軸２１は、保持台３３のベルト３１が張架された長手方向の一端側にあたるブロック３４の外方端部に回転可能に保持され、同じく第二回転軸２２は他端側にあたるブロック３６の外方端部に回転可能に保持されている。この第一回転軸２１および第二回転軸２２は、ベルト３１の回転に応じて共回りするようになっている。また、中央のブロック３５の上面には、図５に示すように二つの補助ローラ２５が回転可能に装着されている。
【００３９】
そして、第一回転軸２１は、ベルト３１幅から側方に突出する延長部を備え、その延長部に所定角度でＮ極とＳ極が交互に着磁されたリング磁石５１が固定され、第一回転軸２１の回転に応じてリング磁石５１が回転運動するようになっている。
【００４０】
そして、図２、図３、図６に示す５７は、各ブロック３４〜３６の下部に個々にカシメ固定された平板からなるばね体である。その装着状態は、三つとも同様であり、中央のブロック３５を例として説明すると、図２および図６にカシメ固定部３５Ｂとして示したように、ブロック３５の各脚部３５Ａそれぞれの下端に設けられた各カシメ突起がばね体５７の孔に挿入されて潰しカシメされることにより、ばね体５７は両端それぞれがブロック３５の下端に固定されている。なお、図２から判るように、その装着状態では、ばね体５７の上面とベルト３１の下方部分における下面との間には所定の空間が保たれている。そして、ばね体５７は、上記と同様に他のブロック３４、３６に対しても図６に示すカシメ固定部３４Ｂ、３６Ｂにより個々にカシメ固定されている。
【００４１】
４１は、四角の筒状に形成された金属板からなる枠体である。この枠体４１は、ベルト３１の張架された長手方向に対し平行関係にあたる一方の側面部４２に保持孔４３が等間隔で三つ横に並べて設けられ（図３参照）、他方の側面部４４には、個々の保持孔４３に対向させて案内孔４５が同じく三箇所に設けられている（図３参照）。上記案内孔４５は、一定幅で下方に伸びる略長方形の形状部分を有している。これらの保持孔４３と案内孔４５は、上記保持台３３を構成するばね体５７付の各ブロック３４〜３６を、枠体４１に対して傾倒動作可能に配するために設けられている。
【００４２】
つまり、図７に示すように、ブロック３４（３５、３６）の一方の脚部３４Ａ（３５Ａ、３６Ａ）側は、その外側面に設けられた位置決め突起３７および、その下方に重ねて配されたばね体５７の一端側が、側面部４２の保持孔４３に上下方向（図７中では左右方向に相当）で僅かな隙間をもって挿入係合されている。そして、ばね体５７の一端側には下方に向けて曲げ形成された引っ掛け部５８が構成されており、図２からも判るように、引っ掛け部５８は内面が上記側面部４２の外側面に当接する係合状態で配されている。
【００４３】
また、ブロック３４（３５、３６）の他方の脚部３４Ａ（３５Ａ、３６Ａ）側は、図８に示すように、その外側面の中央高さ位置付近に設けられた案内用突起３８が案内孔４５に挿通されて配されている。その状態で、案内用突起３８の下方（図８中では右方向に相当）には案内孔４５の空間が伸びており、案内用突起３８はその空間の範囲内で下方に向けて移動可能となっている。なお、上記のように枠体４１に配された各ブロック３４〜３６は、その配置状態で、隣り合うブロックどうしが当接している。
【００４４】
そして、上記構成であれば、各ブロック３４（３５、３６）は、枠体４１に対して、位置決め突起３７が配された脚部３４Ａ（３５Ａ、３６Ａ）側が支点となって他端側の脚部３４Ａ（３５Ａ、３６Ａ）側が下方に下がる傾斜動作可能な構成となる。
【００４５】
また、その配置状態では、各ブロック３４（３５、３６）に固定されているばね体５７も、一方の側面部４２側に相当する一端側が、位置決め突起３７の下面と保持孔４３の下端部で挟持されることにより固定状態の根元部となって、他端側が各ブロック３４（３５、３６）の傾斜動作に応じて下方に移動する片持ち状の形態となる。なお、ばね体５７の他端側には、後述する押圧型スイッチ７１に対応させてそれぞれ下方突起が設けられている。
【００４６】
そして、図３や図９に示すように、ブロック３４の一方の脚部３４Ａ側の外側面には、さらに棒状磁石設置箇所３４Ｃが設けられており、そこに永久磁石からなる棒状磁石５３が配されている。この棒状磁石５３が請求項の第２の磁石に相当するものであり、その配置状態は、上記リング磁石５１の周面に対し、一方の極が水平で近接させて配されている。
【００４７】
この棒状磁石５３は、第一回転軸２１の回転時に、リング磁石５１との磁力の吸引反発力によって第一回転軸２１の回転状態に影響を与え、その影響がベルト３１を介してベルト３１を操作する指などに伝達されるように配したクリック発生用のものである。なお、詳細は後述するが、上記棒状磁石５３には磁性を通す第１板材５４が下方に重ねて配されており、その棒状磁石５３の下面側を覆う第１板材５４下面を棒状磁石設置箇所３４Ｃに粘着固定させている。そして、棒状磁石５３の配置位置に応じた枠体４１部分は上方開口で切り欠いた形状としている。これは、動作時に、棒状磁石５３とそれに応じた枠体４１部分の干渉をなくすためである。
【００４８】
そして、上記のように各部位が組み合わされた枠体４１は、中空枠状のケース６０に対し、取付部４１Ａを図示しないねじで係止されるなどして結合されている。
【００４９】
一方、６１は、枠体４１下方に配された配線基板であり、その上面には図３などに示すように、ばね体５７の下方突起の位置に応じて三つの押圧型スイッチ７１が配され、またリング磁石５１の下方位置に対応させて二つの磁気検出素子７５が配されている。なお、図３に示したようにケース６０と配線基板６１とを互いに係合する凹凸を有する形状部分を備えたものとしておけば、それらを組み合わせるのみで上記各部位の位置合わせが容易なものとなり好ましい。また、ケース６０に対する配線基板６１の結合手段としては、ねじ８０などで結合させればよいが、特にその方法は限定されない。また、ケース６０をなくしたものとして、枠体と配線基板との組み合わせで位置合わせおよび両者の結合が可能なものとし、取付部４１Ａなどを介して機器筐体に装着させるもの等としてもよい。
【００５０】
そして、三つの押圧型スイッチ７１は、枠体４１の他方の側面部４４に沿う内部位置に一列で並べて配置されている。
【００５１】
その押圧型スイッチ７１の個々の構成は、図２では記載を省略するが配線基板６１上に配された複数の固定接点６２（図３参照）と、上記固定接点６２間を接離させる金属薄板からなるドーム状可動接点６３と、下面に粘着剤が形成され、ドーム状可動接点６３を覆って配線基板６１に位置決め装着させるための可撓性を有する絶縁シート６４と、絶縁シート６４上に配された操作突起６５とから構成されている。すなわち、当該構成のものは、絶縁シート６４下面に形成された粘着剤でドーム状可動接点６３が保持されていると共に、その周囲の粘着剤部分が配線基板６１上に粘着されて押圧型スイッチ７１として構成されたものを用いている。
【００５２】
当該構成の押圧型スイッチ７１は、操作突起６５を押し下げると絶縁シート６４を介して上方からドーム状可動接点６５に押し下げ力が加わり、その力が所定の大きさを超えるとドーム状可動接点６３の中央部が反転動作してその下面の当接により固定接点６２間を導通させるものである。このものであれば、スイッチ操作ストロークが比較的短く、しかも操作時に節度感触が得られる薄型構成のものにできて好ましい。なお、他のスイッチ構成のものが搭載されていたり、単体スイッチ完成品が装着配置されていてもよい。
【００５３】
そして、各押圧型スイッチ７１の操作突起６５上には、図２にも示すように、上記に説明したばね体５７の可動側に形成された下方突起が当接している。
【００５４】
一方、リング磁石５１に対応させて配線基板６１上に配された二つの磁気検出素子７５は、磁気検出時に出力されるパルス信号が所定の位相差を持つよう、その配置位置が設定されている。
【００５５】
そして、リング磁石５１と磁気検出素子７５との間には、図３や図９に示すように、磁気検出素子７５毎に個々に独立して磁性を通す第２板材７６が配されている。その装着方法は特に限定されないが好ましくは磁気検出素子７５上に貼り付け装着すればよい。
【００５６】
この第２板材７６は、その上方に位置するリング磁石５１からの磁束を集めて磁気検出素子７５に導くために配したものである。その第２板材７６の材質としては、例えば磁束を伝達しやすいパーマロイなどの磁性材料を用いることが好ましく、第２板材７６の作用で磁気検出素子７５に対して強く磁束が作用するものにできる。
【００５７】
それに対し、クリック発生用に配された棒状磁石５３は、上述したように磁気検出素子７５側となる下面側に磁性を通す第１板材５４を備えさせたものとしている。
【００５８】
この第１板材５４は、棒状磁石５３からの磁束が磁気検出素子７５で検出されることを防止するために配したものであり、棒状磁石５３からの磁束の経路を、その下方側においては、主として第１板材５４を介してループする経路にさせる役割を担っている。これにより、第１板材５４よりも下方に配置された磁気検出素子７５に対しては棒状磁石５３の磁束の影響が殆どおよばないものとなる。なお、第１板材５４としては、磁性を通すが磁化され難い材質のものを選択して用いることが好ましい。
【００５９】
そして、上記押圧型スイッチ７１や磁気検出素子７５に繋がる配線パターンは図３に示すように配線基板６１上を引き回され、それらのパターンは配線基板６１から端子などを介して外方に導出されている。
【００６０】
当該実施の形態による回転操作型部品は、以上のように構成され、少なくともベルト３１上部の全体を外方に露出させて使用機器に搭載されるものである。
【００６１】
続いて、当該実施の形態による回転操作型部品の動作について説明する。
【００６２】
まず、ベルト３１の露出状態に配された上部に指の腹を用いて張架方向に向けて平行移動させベルト３１を回転させる。なお、各図にも示したようにベルト３１外表面に突起を設けておくとベルト３１の回転操作時に指の滑りなどもなく良好に操作できるものとなる。上記の指の平行移動時にはベルト３１下方への押し下げ力も若干加わるが、ベルト３１内に保持台３３が配されている当該構成のものであれば、ベルト３１が大きく下方に撓むこともなく、回転操作性は良好である。
【００６３】
そして、ベルト３１の回転に同期して第一および第二回転軸２１および２２や補助ローラ２５が回転すると共に、第一回転軸２１に固定されたリング磁石５１も同期回転する。そのリング磁石５１の回転運動に応じて、二つの磁気検出素子７５上に、リング磁石５１のＮ極とＳ極が交互に接近する動作が繰り返される。そして、リング磁石５１からの磁束は、磁性を通す各第２板材７６を介して下方に導かれて二つの磁気検出素子７５に作用し、それに応じて二つの磁気検出素子７５から所定の位相差を持ったパルス信号が得られる。そして、その信号を基として機器の制御部（図示せず）でベルト３１の回転方向や回転量が検出できる。なお、磁気検出素子７５ごとに第２板材７６を独立して配したのは、互いの干渉をなくすためである。
【００６４】
そして、リング磁石５１の回転運動に応じて棒状磁石５３にもリング磁石５１のＮ極とＳ極とが繰り返して近接することとなり、異極どうしが近接すると吸引力が発生し、同極どうしが近接すると反発力が発生する。その吸引力や反発力が第一回転軸２１の回転状態に影響を与え、それがベルト３１を介して操作している指にクリック感として感じられる。なお、非操作状態では、リング磁石５１と棒状磁石５３は吸引状態で維持されるため、不要なベルト３１の回転も防止できる。
【００６５】
そして、以上のような操作状態となる当該構成のものは、従来のものより回転操作が効率的に行えるものとなる。つまり、当該構成のものでは、第一および第二回転軸２１および２２間のベルト３１が張架された長手方向に沿う範囲内で指を水平移動させてベルト３１を回転させることができることから、一回の操作で大きな移動量の確保ができるからである。
【００６６】
しかも製品的な上下方向の厚みは、第一および第二回転軸２１および２２の径とベルト３１厚みなどを主として決定されるもののため、その操作距離などに殆ど関与せず、薄型で使いやすいものにできる。
【００６７】
なお、上記回転操作時におけるベルト３１の回転を滑らかなものとするためには、保持台３３に、ベルト３１の張架された長手方向に沿う直線状凹凸部３３Ａを設ける（図２および図５参照）、またはその直線状凹凸部をベルト３１内面に設けて両者間の摩擦を低減させるとよい。なお、保持台３３に直線状凹凸部３３Ａを設ける際には、回転操作時に当接状態になり易い保持台３３の上面側に直線状凹凸部３３Ａを設けておくことが重要である。さらに、ベルト３１内面にシボ加工を施したものとしたり、それらを組み合わせた構成として相乗効果が得られるようにすることが好ましい。
【００６８】
次に、ベルト３１中央位置に対しベルト３１上から押し下げ操作をすると、上部側のベルト３１を介して保持台３３の中央のブロック３５が押されて、上記ブロック３５は枠体４１の他方の側面部４４側が下がる傾斜動作をする。この傾斜動作に伴ってばね体５７の可動側の位置も下がり、図１０に示すように、ばね体５７の下方突起で対応する操作突起６５が押し下げられて、対応する押圧型スイッチ７１のスイッチングがなされる。このとき、両端のブロック３４と３６は、傾斜移動せず元の位置で維持されており、それらに対応する押圧型スイッチ７１の状態も元の状態のままである。なお、図１０では各ブロックの位置状態を判り易く図示するためベルト３１の表記は省略している。
【００６９】
そして、上記押し下げ力を除くと、押圧型スイッチ７１のドーム状可動接点６３が元の上方凸型ドーム状に自己復元してスイッチＯＦＦ状態に戻ると共にばね体５７を押し上げ、また片持ち状のばね体５７の復帰力も加わり、中央のブロック３５は元の図２に示す通常状態に戻る。
【００７０】
一方、ベルト３１の張架された長手方向の端部位置近傍を押し下げると、保持台３３の端部側に位置するブロック３４（または３６）が同様に傾斜動作していき、ばね体５７の可動側で対応する押圧型スイッチ７１のスイッチングがなされる。このときも操作されていないブロックは移動せず、それに応じた押圧型スイッチ７１の状態は切り換わらない。そして、その押し下げ力を除くと、対応する押圧型スイッチ７１が元のスイッチＯＦＦ状態に戻ると共に、ばね体５７の復帰力も加わりブロック３４（または３６）は元の状態に戻る。
【００７１】
上記ベルト３１の押し下げ操作時には、ベルト３１が部分的に若干ねじれた状態になるが、その押し下げ操作時のいずれの場合にも、リング磁石５１と棒状磁石５３との異極どうしの吸引状態つまり第一回転軸２１の停止状態が維持されているため、何等支障はない。なお、リング磁石５１と棒状磁石５３とを同じブロック３４に装着した当該構成が特に好ましい。
【００７２】
以上のように、当該回転操作型部品は、薄い製品厚みで回転操作時における操作量が大きくとれるものとして実現することができる。また、ベルト３１上からの押し下げ操作でベルト３１下方に配されたスイッチ操作ができるものとしても構成できる。さらに、上記に説明した三つの押圧型スイッチ７１を個別に作動可能とした構成のものは、機能選択などを複数必要とする機器が増える中で様々な用途に適用可能なものとなる。
【００７３】
なお、押圧型スイッチ７１の配置数は、三つに限られず、例えば従来同様に一つであったり、二つのみであってもよい。また、押圧型スイッチ７１を三つ以上配置したものとしてもよく、さらには押圧型スイッチ７１を配さず回転部品部のみの構成で使用してもよい。
【００７４】
以上のように本発明による回転操作型部品は、一度の指の移動操作で回転操作時における操作量が大きくできる薄型のものに構成できるため、機器の表示部に表示される項目をスクロールさせて選択操作するような各種電子機器、特に携帯機器などに好適である。なお、ベルト３１下方に押圧型スイッチ７１を配置したものは、ベルト３１への回転操作で項目選択をし、ベルト３１上からの押し下げ操作で上記押圧型スイッチ７１の状態を切り換え、上記選択した項目の決定や確定をなす入力操作部分として搭載すると有用である。
【００７５】
なお、ベルト３１を用いた当該構成のものは、ベルト３１の張架領域としては特に張架方向に相当する長手方向では従来のものより広い領域を必要とするが、その反面、上記領域を有効に活用すべくベルト３１下方位置に複数の押圧型スイッチ７１を配したものに構成でき、その押圧型スイッチ７１の配置状態も余裕をもって配置できるため、個々の押圧型スイッチ７１への操作性にも優れたものに構成することができる。
【００７６】
なお、上記に説明したベルト３１の回転検出を磁気で行うものは、非接触式での回転検出であるため長寿命なものとして実現できる。このものの場合には、例えば、配線基板６１上に配された押圧型スイッチ７１や磁気検出素子７５の上部を含めて絶縁シートで覆って防塵防水性を向上させることも可能である。
【００７７】
なお、ベルト３１の回転検出方法としては、磁気で回転検出するものに限られず、それ以外に光などの非接触方式のもの、回転接点体に接触子を接触させて回転検出を行う接触式のものであってもよい。また、上記第一回転軸２１の延長部が、従来で説明したような単体構成の接点式エンコーダの中心孔に挿入されて回転検出されるものなどであってもよい。
【産業上の利用可能性】
【００７８】
本発明による回転操作型部品は、回転操作時における操作量が大きくとれる薄型構成のものに実現できるという効果を有し、各種電子機器や携帯機器などの入力操作部を構成する際等に有用である。
【図面の簡単な説明】
【００７９】
【図１】本発明の一実施の形態による回転操作型部品の外観斜視図
【図２】同図１のＰ−Ｐ線における断面図
【図３】同分解斜視図
【図４】同上面図
【図５】同要部であるベルトの上部部分を切り欠いた状態の上面図
【図６】同要部のばね体の装着状態を説明するために配線基板とケース、枠体を除いた状態とした下面図
【図７】同要部である保持台と枠体との組み合わせ状態を示す側面図
【図８】同要部である保持台と枠体との組み合わせ状態を示す側面図
【図９】同要部である回転素子と検出素子などの配置状態を示すためにケースを除いた状態とした部分側面図
【図１０】同ベルト中央位置を押し下げた動作状態を示す断面図
【図１１】機器の入力操作部を構成するための従来の回転操作型部品の外観斜視図
【図１２】同分解斜視図
【図１３】同正面図
【図１４】同押し下げ操作状態の正面図
【符号の説明】
【００８０】
２１  第一回転軸
２２  第二回転軸
２５  補助ローラ
３１  ベルト
３３  保持台
３３Ａ  直線状凹凸部
３４〜３６  ブロック
３４Ａ〜３６Ａ  脚部
３４Ｂ〜３６Ｂ  カシメ固定部
３４Ｃ  棒状磁石設置箇所
３７  位置決め突起
３８  案内用突起
４１  枠体
４１Ａ  取付部
４２、４４  側面部
４３  保持孔
４５  案内孔
５１  リング磁石
５３  棒状磁石
５４  第１板材
５７  ばね体
５８  引っ掛け部
６０  ケース
６１  配線基板
６２  固定接点
６３  ドーム状可動接点
６４  絶縁シート
６５  操作突起
７１  押圧型スイッチ
７５  磁気検出素子
７６  第２板材
８０  ねじ
【図１】
2007220584.tif 000003
【図２】
2007220584.tif 000004
【図３】
2007220584.tif 000005
【図４】
2007220584.tif 000006
【図５】
2007220584.tif 000007
【図６】
2007220584.tif 000008
【図７】
2007220584.tif 000009
【図８】
2007220584.tif 000010
【図９】
2007220584.tif 000011
【図１０】
2007220584.tif 000012
【図１１】
2007220584.tif 000013
【図１２】
2007220584.tif 000014
【図１３】
2007220584.tif 000015
【図１４】
2007220584.tif 000016